(57)【要約】【課題】物流分野において、ＩＣタグのリサイクルを促進するための方法を提供する。【解決手段】ＩＣタグをレンタルとして、荷送人または運送業者に貸し出す。ＩＣタグのレンタル元において、受領確認票にＩＣタグが保持された伝票を、貸し出すべきＩＣタグの枚数分用意し、必要な配送情報および付加情報をＩＣタグに入力し、また対応する情報を関係する伝票に記入した後、荷送人に配送する。ＩＣタグのレンタル元において、ＩＣタグを受領確認票に保持された状態で一括回収し、ＩＣタグを受領確認票から分離するとともに、相当するレンタル料金をレンタル先に対して課金し、回収されたＩＣタグについては、それに記録されたデータを消去した後、リユースに供する。【選択図】図１
2007079662.tif 000002
【特許請求の範囲】
【請求項１】
物流分野においてＩＣタグのリサイクルを促進するための方法であって、
荷送人からＩＣタグのレンタル元に対し、ＩＣタグの貸し出し依頼情報を、貸し出しを受けるＩＣタグが付される荷物に関する配送情報とともに送信するステップと、
前記レンタル元において、前記荷送人の識別情報を、前記荷送人に貸し出すべきＩＣタグの枚数および貸出期間、並びに各ＩＣタグのＵＩＤおよびリユース回数とともに管理コンピュータに記録するステップと、
前記レンタル元から運送業者に対し、前記配送情報を送信するステップと、
前記運送業者から前記レンタル元に対し、前記配送情報に対する付加情報を送信するステップと、
前記レンタル元において、受領確認票にＩＣタグが保持された伝票を、前記貸し出すべきＩＣタグの枚数分用意し、前記伝票に保持されたＩＣタグのそれぞれに、前記配送情報および付加情報を入力するとともに、対応する情報を関係する伝票に記入した後、前記荷送人に配送するステップと、
前記荷送人側において、前記伝票に保持されたＩＣタグに荷受人のための追加情報を入力した後、前記伝票を荷物に付するステップと、
前記荷物を前記運送業者によって荷受人に配達するステップと、
前記荷物が前記荷受人に配達されたとき、前記運送業者によって前記荷物からＩＣタグが保持された受領確認票を回収するステップと、
前記運送業者側において、前記ＩＣタグが保持された受領確認票を用いて、配達後事務処理を行うステップと、
前記ＩＣタグを保持した受領確認票を前記運送業者から前記レンタル元に回収した後、前記ＩＣタグを前記受領確認票から分離し、前記ＩＣタグのＵＩＤに基づいて前記管理コンピュータに記録された情報を照合し、回収されたＩＣタグおよび未回収のＩＣタグの枚数および貸出期間の超過したＩＣタグの枚数をカウントし、相当するレンタル料金を前記荷送人に対して課金し、回収されたＩＣタグについては、当該ＩＣタグのリユース回数の情報を更新するとともに、記録されているデータを消去し、再使用に供するステップと、を有していることを特徴とする方法。
【請求項２】
物流分野においてＩＣタグのリサイクルを促進するための方法であって、
荷送人から運送業者に対し、荷物の配送依頼情報を当該荷物の配送情報とともに送信するステップと、
前記運送業者からＩＣタグのレンタル元に対し、ＩＣタグの貸し出し依頼情報を、前記配送情報およびそれに対する付加情報とともに送信するステップと、
前記レンタル元において、前記荷送人の識別情報を、前記荷送人に貸し出すべきＩＣタグの枚数および貸出期間、並びに各ＩＣタグのＵＩＤおよびリユース回数とともに管理コンピュータに記録し、受領確認票にＩＣタグが保持された伝票を、前記貸し出すべきＩＣタグの枚数分用意し、前記伝票に保持されたＩＣタグのそれぞれに、前記配送情報および付加情報を入力するとともに、対応する情報を関係する伝票に記入した後、前記荷送人に配送するステップと、
前記荷送人側において、前記伝票に保持されたＩＣタグに荷受人のための追加情報を入力した後、前記伝票を荷物に付するステップと、
前記荷物を前記運送業者によって荷受人に配達するステップと、
前記荷物が前記荷受人に配達されたとき、前記運送業者によって前記荷物からＩＣタグが保持された受領確認票を回収するステップと、
前記運送業者側において、前記ＩＣタグが保持された受領確認票を用いて、配達後事務処理を行うステップと、
前記ＩＣタグを保持した受領確認票を前記運送業者から前記レンタル元に回収した後、前記ＩＣタグを前記受領確認票から分離し、前記ＩＣタグのＵＩＤに基づいて前記管理コンピュータに記録された情報を照合し、回収されたＩＣタグおよび未回収のＩＣタグの枚数および貸出期間の超過したＩＣタグの枚数をカウントし、相当するレンタル料金を前記運送業者に対して課金し、回収されたＩＣタグについては、当該ＩＣタグのリユース回数の情報を更新するとともに、記録されているデータを消去し、再使用に供するステップと、を有していることを特徴とする方法。
【請求項３】
物流分野においてＩＣタグのリサイクルを促進するための方法であって、
荷送人からＩＣタグのレンタル元に対し、ＩＣタグの貸し出し依頼情報を、貸し出しを受けるＩＣタグが付される荷物に関する配送情報とともに送信するステップと、
前記レンタル元において、前記荷送人の識別情報を、前記荷送人に貸し出すべきＩＣタグの枚数および貸出期間、並びに各ＩＣタグのＵＩＤおよびリユース回数とともに管理コンピュータに記録するステップと、
前記レンタル元から運送業者に対し、前記配送情報を送信するステップと、
前記運送業者から前記レンタル元に対し、前記配送情報に対する付加情報を送信するステップと、
前記レンタル元において、受領確認票にＩＣタグが保持された伝票を、前記貸し出すべきＩＣタグの枚数分用意し、前記伝票に保持されたＩＣタグのそれぞれに、前記配送情報および付加情報を入力するとともに、対応する情報を関係する伝票に記入した後、前記荷送人に配送するステップと、
前記荷送人側において、前記伝票に保持されたＩＣタグに荷受人のための追加情報を入力した後、前記伝票を荷物に付するステップと、
前記荷物を前記運送業者によって荷受人に配達するステップと、
前記荷受人側において、前記荷物に付された伝票に保持されたＩＣタグに物流加工情報または販売・管理情報を入力し、加工処理または販売・管理業務を行うステップと、
前記加工処理または前記販売・管理業務終了後、前記荷受人側において、前記荷物からＩＣタグが保持された受領確認票を回収し、それを用いて、事後の事務処理を行うステップと、
前記ＩＣタグを保持した受領確認票を前記荷受人から前記レンタル元に回収した後、前記ＩＣタグを前記受領確認票から分離し、前記ＩＣタグのＵＩＤに基づいて前記管理コンピュータに記録された情報を照合し、回収されたＩＣタグおよび未回収のＩＣタグの枚数および貸出期間の超過したＩＣタグの枚数をカウントし、相当するレンタル料金を前記荷送人に対して課金し、回収されたＩＣタグについては、当該ＩＣタグのリユース回数の情報を更新するとともに、記録されているデータを消去し、再使用に供するステップと、を有していることを特徴とする方法。
【発明の詳細な説明】
【技術分野】
【０００１】
本発明は、物流分野においてＩＣタグのリサイクルを促進するための方法に関するものである。
【背景技術】
【０００２】
近年、物流分野においては、大量の管理情報を迅速かつ正確に読み書き可能なＩＣタグが、伝票とともに使用されるようになってきている。ところが、ＩＣタグは、伝票と比べるとかなり高価であるため、これを伝票とともに使い捨てにすると必然的にコストが高くなるという問題を生じる。
【０００３】
一方、将来的に安価なＩＣタグが開発されて、伝票とともに使い捨てが可能となった場合には、何十億、何百億個のＩＣタグが短期間に使用され、廃棄されることになる。この場合、ＩＣタグのアンテナやチップ部には銀やアルミニウム、銅等の重金属が使用されているので、これらが環境中に散乱されると、環境汚染を招くおそれがあり、また、資源の無駄遣いとなるという問題が生じる。
【０００４】
また、物流分野においては、しばしば、一度に膨大な量のＩＣタグが使用されるうえ、季節的要因や景気の動向等により流通する商品の量が大きく変動し、それに伴って必要なＩＣタグの個数も大きく変動する。加えて、各ＩＣタグの耐用期間はまちまちであり、再利用可能な回数も一定していない。よって、現状では、物流業務に携わる各社が、高価なＩＣタグを自前で大量に購入して使用することは、コスト的に割高である。
【０００５】
したがって、ＩＣタグがリサイクルされ、ＩＣタグが多数回にわたってリユースされるようになれば、物流分野においてＩＣタグが広く普及し、物流の効率化、低コスト化に大きく寄与するものと思われる。
【０００６】
そして、伝票の受領確認票にＩＣタグを保持しておき、使用済みの伝票から、ＩＣタグを保持した受領確認票を回収し、回収したＩＣタグをリユースすることが、これまでに提案されている（特許文献１、２参照）。
【０００７】
しかしながら、従来技術においては、ＩＣタグが保持された受領確認票から、ＩＣタグを効率的に分離し、リユースするための具体的な方法は提案されていない。よって、現状では、回収した受領確認票からＩＣタグを分離し、記録されたデータを消去してリユースすることには、多大な労力とコストを要し、ＩＣタグのリサイクルの普及に対する大きな障害となっている。
【０００８】
【特許文献１】特開平９−１６７３６号公報
【特許文献２】特開２００１−２２９３５７号公報
【発明の開示】
【発明が解決しようとする課題】
【０００９】
したがって、本発明の課題は、物流分野において、ＩＣタグのリサイクルを促進するための方法を提供することにある。
【課題を解決するための手段】
【００１０】
上記課題を解決するため、第１発明は、物流分野においてＩＣタグのリサイクルを促進するための方法であって、荷送人からＩＣタグのレンタル元に対し、ＩＣタグの貸し出し依頼情報を、貸し出しを受けるＩＣタグが付される荷物に関する配送情報とともに送信するステップと、前記レンタル元において、前記荷送人の識別情報を、前記荷送人に貸し出すべきＩＣタグの枚数および貸出期間、並びに各ＩＣタグのＵＩＤ（Unique Identifier)およびリユース回数とともに管理コンピュータに記録するステップと、前記レンタル元から運送業者に対し、前記配送情報を送信するステップと、前記運送業者から前記レンタル元に対し、前記配送情報に対する付加情報を送信するステップと、前記レンタル元において、受領確認票にＩＣタグが保持された伝票を、前記貸し出すべきＩＣタグの枚数分用意し、前記伝票に保持されたＩＣタグのそれぞれに、前記配送情報および付加情報を入力するとともに、対応する情報を関係する伝票に記入した後、前記荷送人に配送するステップと、前記荷送人側において、前記伝票に保持されたＩＣタグに荷受人のための追加情報を入力した後、前記伝票を荷物に付するステップと、前記荷物を前記運送業者によって荷受人に配達するステップと、前記荷物が前記荷受人に配達されたとき、前記運送業者によって前記荷物からＩＣタグが保持された受領確認票を回収するステップと、前記運送業者側において、前記ＩＣタグが保持された受領確認票を用いて、配達後事務処理を行うステップと、前記ＩＣタグを保持した受領確認票を前記運送業者から前記レンタル元に回収した後、前記ＩＣタグを前記受領確認票から分離し、前記ＩＣタグのＵＩＤに基づいて前記管理コンピュータに記録された情報を照合し、回収されたＩＣタグおよび未回収のＩＣタグの枚数および貸出期間の超過したＩＣタグの枚数をカウントし、相当するレンタル料金を前記荷送人に対して課金し、回収されたＩＣタグについては、当該ＩＣタグのリユース回数の情報を更新するとともに、記録されているデータを消去し、再使用に供するステップと、を有していることを特徴とする方法を構成したものである。
ここで、ＵＩＤ（Unique Identifier)は、ＩＣタグに含まれるＩＣチップの製造段階において当該チップに書き込まれた個別シリアル番号であり、後から改変することができず、よって、各ＩＣタグに固有の識別子を形成するものである。
【００１１】
上記課題を解決するため、また、第２発明は、物流分野においてＩＣタグのリサイクルを促進するための方法であって、荷送人から運送業者に対し、荷物の配送依頼情報を当該荷物の配送情報とともに送信するステップと、前記運送業者からＩＣタグのレンタル元に対し、ＩＣタグの貸し出し依頼情報を、前記配送情報およびそれに対する付加情報とともに送信するステップと、前記レンタル元において、前記荷送人の識別情報を、前記荷送人に貸し出すべきＩＣタグの枚数および貸出期間、並びに各ＩＣタグのＵＩＤおよびリユース回数とともに管理コンピュータに記録し、受領確認票にＩＣタグが保持された伝票を、前記貸し出すべきＩＣタグの枚数分用意し、前記伝票に保持されたＩＣタグのそれぞれに、前記配送情報および付加情報を入力するとともに、対応する情報を関係する伝票に記入した後、前記荷送人に配送するステップと、前記荷送人側において、前記伝票に保持されたＩＣタグに荷受人のための追加情報を入力した後、前記伝票を荷物に付するステップと、前記荷物を前記運送業者によって荷受人に配達するステップと、前記荷物が前記荷受人に配達されたとき、前記運送業者によって前記荷物からＩＣタグが保持された受領確認票を回収するステップと、前記運送業者側において、前記ＩＣタグが保持された受領確認票を用いて、配達後事務処理を行うステップと、前記ＩＣタグを保持した受領確認票を前記運送業者から前記レンタル元に回収した後、前記ＩＣタグを前記受領確認票から分離し、前記ＩＣタグのＵＩＤに基づいて前記管理コンピュータに記録された情報を照合し、回収されたＩＣタグおよび未回収のＩＣタグの枚数および貸出期間の超過したＩＣタグの枚数をカウントし、相当するレンタル料金を前記運送業者に対して課金し、回収されたＩＣタグについては、当該ＩＣタグのリユース回数の情報を更新するとともに、記録されているデータを消去し、再使用に供するステップと、を有していることを特徴とする方法を構成したものである。
【００１２】
また、上記課題を解決するため、第３発明は、物流分野においてＩＣタグのリサイクルを促進するための方法であって、荷送人からＩＣタグのレンタル元に対し、ＩＣタグの貸し出し依頼情報を、貸し出しを受けるＩＣタグが付される荷物に関する配送情報とともに送信するステップと、前記レンタル元において、前記荷送人の識別情報を、前記荷送人に貸し出すべきＩＣタグの枚数および貸出期間、並びに各ＩＣタグのＵＩＤおよびリユース回数とともに管理コンピュータに記録するステップと、前記レンタル元から運送業者に対し、前記配送情報を送信するステップと、前記運送業者から前記レンタル元に対し、前記配送情報に対する付加情報を送信するステップと、前記レンタル元において、受領確認票にＩＣタグが保持された伝票を、前記貸し出すべきＩＣタグの枚数分用意し、前記伝票に保持されたＩＣタグのそれぞれに、前記配送情報および付加情報を入力するとともに、対応する情報を関係する伝票に記入した後、前記荷送人に配送するステップと、前記荷送人側において、前記伝票に保持されたＩＣタグに荷受人のための追加情報を入力した後、前記伝票を荷物に付するステップと、前記荷物を前記運送業者によって荷受人に配達するステップと、前記荷受人側において、前記荷物に付された伝票に保持されたＩＣタグに物流加工情報または販売・管理情報を入力し、加工処理または販売・管理業務を行うステップと、前記加工処理または前記販売・管理業務終了後、前記荷受人側において、前記荷物からＩＣタグが保持された受領確認票を回収し、それを用いて、事後の事務処理を行うステップと、前記ＩＣタグを保持した受領確認票を前記荷受人から前記レンタル元に回収した後、前記ＩＣタグを前記受領確認票から分離し、前記ＩＣタグのＵＩＤに基づいて前記管理コンピュータに記録された情報を照合し、回収されたＩＣタグおよび未回収のＩＣタグの枚数および貸出期間の超過したＩＣタグの枚数をカウントし、相当するレンタル料金を前記荷送人に対して課金し、回収されたＩＣタグについては、当該ＩＣタグのリユース回数の情報を更新するとともに、記録されているデータを消去し、再使用に供するステップと、を有していることを特徴とする方法を構成したものである。
【発明の効果】
【００１３】
本発明によれば、ＩＣタグをレンタルとして、荷送人または運送業者に貸し出すようにしたので、物流各社は、膨大な量のＩＣタグを低コストかつ低リスクで使用することが可能となる。また、本発明によれば、ＩＣタグのレンタル元において、受領確認票にＩＣタグが保持された伝票を、貸し出すべきＩＣタグの枚数分用意し、必要な配送情報および付加情報をＩＣタグに入力し、また対応する情報を関係する伝票に記入した後、荷送人に配送するようし、また、ＩＣタグのレンタル元において、ＩＣタグを受領確認票に保持された状態で一括回収し、ＩＣタグを受領確認票から分離するとともに、それに記録されたデータを消去するようにしたので、使用済みＩＣタグの回収およびリユースを極めて効率的にかつ低コストで、しかも、セキュリティ管理をしつつ行うことが可能となる。
こうして、本発明によれば、物流分野におけるＩＣタグのリサイクルを促進することができる。
【発明を実施するための最良の形態】
【００１４】
以下、添付図面を参照して本発明の好ましい実施例について説明する。図１は、本発明の第１実施例によるＩＣタグリサイクル方法を説明するためのブロック図である。この実施例では、ＩＣタグは荷送人にレンタルされるようになっている。
図１を参照して、本発明のＩＣタグリサイクル方法によれば、まず最初に、荷送人からＩＣタグのレンタル元に対し、ＩＣタグの貸し出し依頼情報が、貸し出しを受けるＩＣタグが付される荷物に関する配送情報とともに送信される（図１の矢印ａ）。次に、レンタル元において、荷送人の識別情報が、荷送人に貸し出すべきＩＣタグの枚数および貸出期間、並びに各ＩＣタグのＵＩＤおよびリユース回数とともに管理コンピュータに記録され、また、レンタル元から運送業者に対し、配送情報が送信される（図１の矢印ｂ）。ＵＩＤ（Unique Identifier)は、ＩＣタグに含まれるＩＣチップの製造段階において当該チップに書き込まれた個別シリアル番号であり、後から改変することができず、よって、各ＩＣタグに固有の識別子を形成するものである。
【００１５】
そして、運送業者からレンタル元に対し、配送情報に対する付加情報が送信される（図１の矢印ｂ）。下の表１（Ａ）に、ＩＣタグに入力され得る配送情報および付加情報を例示した。
【００１６】
【表１】
2007079662.tif 000003
【００１７】
その後、レンタル元において、受領確認票にＩＣタグが保持された伝票が、貸し出すべきＩＣタグの枚数分用意され、伝票に保持されたＩＣタグのそれぞれに配送情報および付加情報が入力されるとともに、対応する情報が関係する伝票に記入された後、荷送人に配送される（図１の矢印ｃ）。
【００１８】
図４には、ＩＣタグが保持された伝票の一例が示してある。図４を参照して、伝票は、それぞれ一端側に切断用ミシン目Ａを有する、荷送人控え３、荷札４、到着原票（受領確認票）５および荷受人控え６、並びに台紙兼予備荷札７が順次重ね合わされ、それぞれのミシン目Ａの外縁部分３ａ〜７ａが接着剤によって接着されたものからなる伝票本体１と、伝票本体１の到着原票（受領確認票）５に保持されたＩＣタグ２からなっている。到着原票（受領確認票）５におけるミシン目Ａに対して外縁部分５ａの反対側の領域は、配送情報記入部分８とＩＣタグ取付部分９からなっている。
【００１９】
到着原票（受領確認票）５裏面の他端縁部分５ｂおよび荷受人控え６表面の他端縁部分６ｂは互いに接着剤によって接合され、到着原票（受領確認票）５および荷受人控え６を同時に伝票本体１の残りの部分から切り取った後、両者を接合部に沿って互いに切り離すことができるようになっている。それによって、配達完了後、配達担当者が到着原票（受領確認票）５および荷受人控え６を伝票の残りの部分から確実に切り離し、荷受人から受領印を受けた後、荷受人控え６を荷受人に渡し、到着原票（受領確認票）５は運送業者の配送管理センターに持ち帰ることができる。
【００２０】
本発明の方法によれば、さらに、荷送人側において、伝票に保持されたＩＣタグに荷受人のための追加情報が入力された後、伝票が荷物に付され、荷物が運送業者に集荷され（図１の矢印ｄ）、荷受人に配達される（図１の矢印ｅ）。表１（Ｂ）に、ＩＣタグに入力され得る追加情報を例示した。
荷物が荷受人に配達されたとき、運送業者によって荷物からＩＣタグが保持された受領確認票が回収され（図１の矢印ｆ）、運送業者側において、ＩＣタグが保持された受領確認票を用いて、配達後事務処理が行われる。
【００２１】
さらに、ＩＣタグを保持した受領確認票が運送業者からレンタル元に回収され（図１の矢印ｇ）、その後、ＩＣタグが受領確認票から分離され、ＩＣタグのＵＩＤに基づいて、管理コンピュータに記録された情報と照合され、回収されたＩＣタグおよび未回収のＩＣタグの枚数および貸出期間が超過したＩＣタグの枚数がカウントされ、相当するレンタル料金がレンタル先（荷送人）に対して課金され、回収されたＩＣタグについては、当該ＩＣタグのリユース回数の情報が更新されるとともに、ＩＣタグに記録されているデータが消去され、再使用に供される。
【００２２】
図２は、本発明の第２実施例によるＩＣタグリサイクル方法を説明するためのブロック図である。この実施例では、ＩＣタグは運送業者にレンタルされるようになっている。
図２を参照して、本発明のＩＣタグリサイクル方法によれば、まず最初、荷送人から運送業者に対し、荷物の配送依頼情報が当該荷物の配送情報とともに送信され（図２の矢印ｈ）、運送業者からＩＣタグのレンタル元に対し、ＩＣタグの貸し出し依頼情報が、配送情報およびそれに対する付加情報とともに送信される（図２の矢印ｉ）。
【００２３】
そして、レンタル元において、荷送人の識別情報が、荷送人に貸し出すべきＩＣタグの枚数および貸出期間、並びに各ＩＣタグのＵＩＤおよびリユース回数とともに管理コンピュータに記録される。また、受領確認票にＩＣタグが保持された伝票が、貸し出すべきＩＣタグの枚数分用意され、伝票に保持されたＩＣタグのそれぞれに、配送情報および付加情報が入力されるとともに、対応する情報が関係する伝票に記入された後、荷送人に配送される（図２の矢印ｊ）。
【００２４】
次に、荷送人側において、伝票に保持されたＩＣタグに荷受人のための追加情報が入力された後、伝票が荷物に付され、荷物が運送業者に集荷され（図２の矢印ｋ）、荷受人に配達される（図２の矢印ｌ）。荷物が荷受人に配達されたとき、運送業者によって荷物からＩＣタグが保持された受領確認票が回収され（図２の矢印ｍ）、運送業者側において、ＩＣタグが保持された受領確認票を用いて、配達後事務処理が行われる。
【００２５】
そして、ＩＣタグを保持した受領確認票が運送業者からレンタル元に回収され（図２の矢印ｎ）、ＩＣタグが受領確認票から分離され、ＩＣタグのＵＩＤに基づいて管理コンピュータに記録された情報と照合され、回収されたＩＣタグおよび未回収のＩＣタグの枚数および貸出期間の超過したＩＣタグの枚数がカウントされ、相当するレンタル料金がレンタル先（運動業者）に対して課金され、回収されたＩＣタグについては、当該ＩＣタグのリユース回数の情報が更新されるとともに、ＩＣカードに記録されているデータが消去され、再使用に供される。
【００２６】
図３は、本発明の第３実施例によるＩＣタグリサイクル方法を説明するためのブロック図である。この実施例では、ＩＣタグは、荷送人にレンタルされ、使用済みのＩＣタグの回収は、荷送人が荷受人に委託するようになっている。
図３を参照して、本発明のＩＣタグリサイクル方法によれば、まず最初、荷送人からＩＣタグのレンタル元に対し、ＩＣタグの貸し出し依頼情報が、貸し出しを受けるＩＣタグが付される荷物に関する配送情報とともに送信される（図３の矢印ｏ）。次に、レンタル元において、荷送人の識別情報が、荷送人に貸し出すべきＩＣタグの枚数および貸出期間、並びに各ＩＣタグのＵＩＤおよびリユース回数とともに管理コンピュータに記録され、レンタル元から運送業者に対し、配送情報が送信される（図３の矢印ｐ）。
【００２７】
その後、運送業者からレンタル元に対し、配送情報に対する付加情報が送信され（図３の矢印ｐ）、レンタル元において、受領確認票にＩＣタグが保持された伝票が、貸し出すべきＩＣタグの枚数分用意され、伝票に保持されたＩＣタグのそれぞれに、配送情報および付加情報が入力されるとともに、対応する情報が関係する伝票に記入された後、荷送人に配送される（図３の矢印ｑ）。
【００２８】
そして、荷送人側において、伝票に保持されたＩＣタグに荷受人のための追加情報が入力された後、伝票が荷物に付され、荷物が運送業者に集荷され、荷受人に配達される（図３の矢印ｓ）。その後、荷受人側において、荷物に付された伝票に保持されたＩＣタグに必要な物流加工情報または販売・管理情報が入力され、加工処理または販売・管理業務が行われる（図３の矢印ｔ）。加工処理または販売・管理業務の終了後（図３の矢印ｕ）、荷受人側において、荷物からＩＣタグが保持された受領確認票が回収され、それを用いて、事後の事務処理が行われる。物流加工情報としては、表１（Ｃ）に挙げられたものがある。
【００２９】
その後、ＩＣタグを保持した受領確認票が荷受人からレンタル元に回収され（図３の矢印ｖ）、ＩＣタグが受領確認票から分離され、ＩＣタグのＵＩＤに基づいて管理コンピュータに記録された情報と照合され、回収されたＩＣタグおよび未回収のＩＣタグの枚数および貸出期間の超過したＩＣタグの枚数がカウントされ、相当するレンタル料金がレンタル先（荷送人）に対して課金され、回収されたＩＣタグについては、当該ＩＣタグのリユース回数の情報が更新されるとともに、ＩＣタグに記録されているデータが消去され、再使用に供される。
【図面の簡単な説明】
【００３０】
【図１】本発明の第１実施例によるＩＣタグリサイクル方法を説明するためのブロック図である。
【図２】本発明の第２実施例によるＩＣタグリサイクル方法を説明するためのブロック図である。
【図３】本発明の第３実施例によるＩＣタグリサイクル方法を説明するためのブロック図である。
【図４】本発明のＩＣタグリサイクル方法において使用されるＩＣタグを保持した伝票の一例を示した分解斜視図である。
【符号の説明】
【００３１】
１  伝票本体
２  ＩＣタグ
３  荷送人控え
４  荷札
５  到着原票（受領確認票）
６  荷受人控え
７  台紙兼予備荷札
８  配送情報記入部分
９  ＩＣタグ取付部分
【図１】
2007079662.tif 000004
【図２】
2007079662.tif 000005
【図３】
2007079662.tif 000006
【図４】
2007079662.tif 000007